(57)【要約】【課題】遊戯時の興趣性を向上させることができる動作ユニットを装着可能な移動玩具を提供する。【解決手段】動作ユニットを着脱可能な移動玩具１０は、玩具本体部１１と、動力伝達部１４と、玩具本体部１１に設けられ、玩具本体部１１を移動可能、且つ動力伝達部１４を介して玩具本体部１１に装着された動作ユニット２０、３０または４０を動作可能に、動力を供給可能な動力供給部（回転駆動源１２）と、を備える。玩具本体部１１には、動力伝達部１４が収容されると共に、動力伝達部１４の一部が露出する開口１１ａ４が形成され、動力供給部から供給される動力は、開口１１ａ４を介して動作ユニット２０、３０または４０に伝達される。【選択図】図１
2019069312.tif 000002
【特許請求の範囲】
【請求項１】
第１の歯車から成る動力取得部を備えた動作ユニットを着脱可能な移動玩具であって、
玩具本体部と、
前記玩具本体部に設けられ、前記移動玩具の移動方向の前面で前記動作ユニットを装着可能な装着部と、
前記玩具本体部に収容され、第２の歯車から成る動力伝達部と、  
前記玩具本体部に設けられ、前記玩具本体部を移動可能、且つ前記動力伝達部を介して前記玩具本体部に装着された前記動作ユニットを動作可能に、動力を供給可能な動力供給部と、
を備え、
前記第２の歯車の噛合部の一部が露出する開口が形成された前記装着部は、当該開口に隣接して設けられ、かつ、前記移動玩具の移動方向の前面で前記動作ユニットの少なくとも一部と当接可能な当接面を有し、
前記動力供給部から供給される動力は、前記動作ユニットの少なくとも一部が前記当接面に当接し、かつ、前記第１の歯車と前記第２の歯車とが噛合した状態で、前記開口を介して前記動作ユニットに伝達される、
移動玩具。
【請求項２】
前記当接面は、前記動作ユニットの被当接部と面状に当接可能である、
請求項１に記載の移動玩具。
【請求項３】
前記当接面には、前記装着部への前記動作ユニットの装着に際し、該動作ユニットに係合可能な係合突起が設けられる、
請求項１または２に記載の移動玩具。
【請求項４】
前記装着部は、前記動作ユニットの一部を前記移動玩具の移動方向とは逆の方向に挿入可能な凹部から成り、
前記当接面は、前記凹部の底面に位置する、
請求項１〜３のいずれか１項に記載の移動玩具。
【請求項５】
前記動力伝達部は、前記開口から前記玩具本体部より外側に突出しないように設けられる、
請求項１〜４のいずれか１項に記載の移動玩具。
【請求項６】
前記動力供給部から供給される動力によって回転駆動される駆動シャフトと、
前記駆動シャフトに設けられる車輪と、
をさらに備え、
前記動力伝達部は、前記駆動シャフトに設けられる、
請求項１〜５のいずれか１項に記載の移動玩具。
【請求項７】
前記車輪は、前記駆動シャフトの端部それぞれに差し込まれて設けられ、
前記端部には、前記駆動シャフトよりも軟質の差込補助部が取り付けられる、
請求項６に記載の移動玩具。
【請求項８】
前記玩具本体部は、前記車輪の少なくとも一部を保護する保護部をさらに有する、
請求項６または７に記載の移動玩具。
【請求項９】
電源部と、
前記電源部から前記動力供給部への電力供給が可能な第１の状態と前記動力供給部への電力供給が停止される第２の状態とに切り替え可能な電源切替部と、
をさらに備える、
請求項１〜８のいずれか１項に記載の移動玩具。
【請求項１０】
前記電源切替部は、前記玩具本体部において、第１の状態とする第１の位置と、第２の状態とする第２の位置との間を移動可能に構成される操作部と、
前記操作部が前記第２の位置から前記第１の位置へ操作されることに伴い、前記玩具本体部から突出する電源停止部と、
を含み、
前記電源停止部は、前記移動玩具の移動中において、他の移動玩具との接触により前記操作部を前記第１の位置から前記第２の位置へ移動可能に、前記操作部が設けられた前記玩具本体部の面とは異なる面に設けられる、
請求項９に記載の移動玩具。
【請求項１１】
突出した前記電源停止部が前記玩具本体部の内部方向に移動することにより、前記操作部の前記第１の位置から前記第２の位置への前記移動が生じる、
請求項１０に記載の移動玩具。
【請求項１２】
前記電源停止部は、前記玩具本体部において、前記動作ユニットの着脱面とは異なる面に設けられる、
請求項１０または１１に記載の移動玩具。
【請求項１３】
前記電源停止部は、前記玩具本体部において前記移動玩具の進行方向の後面に設けられる、
請求項１０〜１２のいずれか１項に記載の移動玩具。
【請求項１４】
請求項１〜１３のいずれか１項に記載の移動玩具に装着可能な移動玩具用の動作ユニットであって、
動作ユニット本体部と、
前記動作ユニット本体部に設けられ、前記移動玩具の前記動力供給部から供給される動力を取得する動力取得部と、
前記動力取得部により取得された動力により動作可能な動作部と、
を備え、
前記動力取得部は、前記開口を介して前記動力伝達部から伝達される動力を取得可能に設けられる、
動作ユニット。
【請求項１５】
前記第１の歯車の噛合部は、前記開口に挿入可能に設けられる、
請求項１４に記載の動作ユニット。
【請求項１６】
前記第１の歯車は、その厚さが前記第２の歯車の厚さよりも小さい、
請求項１４または１５に記載の動作ユニット。
【請求項１７】
前記動作ユニット本体部は、前記動力取得部を前記移動玩具に装着したときに当該移動玩具の前記玩具本体部の一部を覆う被覆部を有する、
請求項１４〜１６のいずれか１項に記載の動作ユニット。
【請求項１８】
前記動作ユニット本体部は、前記移動玩具の前記玩具本体部への装着に際し、前記移動玩具の前記装着部に装着可能な被装着部を有する、
請求項１４〜１７のいずれか１項に記載の動作ユニット。
【請求項１９】
前記被装着部は、前記移動玩具の前記玩具本体部への装着に際し、当該玩具本体部の係合部に係合可能な被係合部をさらに有する、
請求項１４〜１８のいずれか１項に記載の動作ユニット。
【請求項２０】
前記動作部は、前記動力取得部により取得された動力に基づいて回転する１以上の回転部分を含む、
請求項１４〜１９のいずれか１項に記載の動作ユニット。
【請求項２１】
前記回転部分は、前記移動玩具の進行方向における長さが異なる複数の棒状部分から構成される、
請求項２０に記載の動作ユニット。
【請求項２２】
前記動作部は、前記動力取得部により取得された動力に基づいて往復傾動する傾動部分から構成される、
請求項１４〜１９のいずれか１項に記載の動作ユニット。
【請求項２３】
第１の歯車から成る動力取得部を備えた動作ユニットと前記動作ユニットを着脱可能な移動玩具との組み合わせから成る第１の移動玩具セットであって、
前記移動玩具は、
玩具本体部と、
前記玩具本体部に設けられ、前記移動玩具の移動方向の前面で前記動作ユニットを装着可能な装着部と、
前記玩具本体部に収容され、第２の歯車から成る動力伝達部と、
前記玩具本体部に設けられ、前記玩具本体部を移動可能、且つ前記動力伝達部を介して前記玩具本体部に装着された前記動作ユニットを動作可能に、動力を供給可能な動力供給部と、
を備え、
前記第２の歯車の噛合部の一部が露出する開口が形成された前記装着部は、当該開口に隣接して設けられ、かつ、前記移動玩具の移動方向の前面で前記動作ユニットの少なくとも一部と当接可能な当接面を有し、
前記動力供給部から供給される動力は、前記動作ユニットの少なくとも一部が前記当接面に当接し、かつ、前記第１の歯車と前記第２の歯車とが噛合した状態で、前記開口を介して前記動作ユニットに伝達される、
第１の移動玩具セット。
【請求項２４】
第１の歯車から成る動力取得部を備えた動作ユニットと前記動作ユニットを着脱可能な移動玩具と前記動作ユニットを装着した前記移動玩具の移動が可能な遊戯盤との組み合わせから成る第２の移動玩具セットであって、
前記移動玩具は、
玩具本体部と、
前記玩具本体部に設けられ、前記移動玩具の移動方向の前面で前記動作ユニットを装着可能な装着部と、
前記玩具本体部に収容され、第２の歯車から成る動力伝達部と、
前記玩具本体部に設けられ、前記玩具本体部を移動可能、且つ前記動力伝達部を介して前記玩具本体部に装着された前記動作ユニットを動作可能に、動力を供給可能な動力供給部と、
を備え、
前記第２の歯車の噛合部の一部が露出する開口が形成された前記装着部は、当該開口に隣接して設けられ、かつ、前記移動玩具の移動方向の前面で前記動作ユニットの少なくとも一部と当接可能な当接面を有し、
前記動力供給部から供給される動力は、前記動作ユニットの少なくとも一部が前記当接面に当接し、かつ、前記第１の歯車と前記第２の歯車とが噛合した状態で、前記開口を介して前記動作ユニットに伝達される、
第２の移動玩具セット。
【発明の詳細な説明】
【技術分野】
【０００１】
本発明は、動作ユニットを着脱可能な移動玩具と、前記移動玩具に装着可能な移動玩具用動作ユニットと、前記移動玩具と前記移動玩具用動作ユニットとの組み合わせから成る第１の移動玩具セット、及び前記移動玩具と前記移動玩具用動作ユニットと前記移動玩具用動作ユニットを装着した前記移動玩具の移動が可能な遊戯盤との組合せから成る第２の移動玩具セットに関する。
【背景技術】
【０００２】
後記特許文献１には、下部車体の回転輪に円板状武器の嵌合孔を嵌合させてから、下部車体の回転輪中心に設けた六角形状嵌合穴に上部車体の六角ピンを嵌合させることによって、下部車体と上部車体の間に円板状武器を配置し、この後、下部車体と上部車体とをボルト状体で連結することによって組み立てられる自動走行玩具車が開示されている。組み立て後の自動走行玩具車は、電源スイッチをオンにすることによって、上部車体内のモーターにより円板状武器および下部車体の車輪を回転させることができ、回転する円板状武器により、他の自動走行玩具を攻撃し、自動走行玩具同士で戦わせる遊び方ができる。
【０００３】
しかしながら、後記特許文献１に開示されている自動走行玩具車は、走行する動作の他は、下部車体と上部車体との間に円板状武器を配置させた円板状武器を回転させる動作ができるだけなので、使用者にとって遊戯上の興趣性が高いとはいえない。
【先行技術文献】
【特許文献】
【０００４】
【特許文献１】特開２００６−２９６８５４号公報
【発明の概要】
【発明が解決しようとする課題】
【０００５】
本発明が解決しようとする課題は、遊戯時の興趣性を向上させることのできる、動作ユニットを着脱可能な移動玩具と、前記移動玩具に装着可能な移動玩具用動作ユニットと、前記移動玩具と前記移動玩具用動作ユニットとの組み合わせから成る第１の移動玩具セット、及び前記移動玩具と前記移動玩具用動作ユニットと前記移動玩具用動作ユニットを装着した前記移動玩具の移動が可能な遊戯盤との組合せから成る第２の移動玩具セットを提供することにある。
【課題を解決するための手段】
【０００６】
本発明に係る移動玩具は、第１の歯車から成る動力取得部を備えた動作ユニットを着脱可能な移動玩具であって、玩具本体部と、玩具本体部に設けられ、前記移動玩具の移動方向の前面で動作ユニットを装着可能な装着部と、玩具本体部に収容され、第２の歯車から成る動力伝達部と、玩具本体部に設けられ、玩具本体部を移動可能、且つ動力伝達部を介して玩具本体部に装着された動作ユニットを動作可能に、動力を供給可能な動力供給部と、を備え、前記第２の歯車の噛合部の一部が露出する開口が形成された前記装着部は、当該開口に隣接して設けられ、かつ、前記移動玩具の移動方向の前面で前記動作ユニットの少なくとも一部と当接可能な当接面を有し、動力供給部から供給される動力は、前記動作ユニットの少なくとも一部が前記当接面に当接し、かつ、前記第１の歯車と前記第２の歯車とが噛合した状態で、開口を介して動作ユニットに伝達される。
【０００７】
また、本発明に係る移動玩具用動作ユニットは、前掲の移動玩具に装着可能な動作ユニットであって、動作ユニット本体部と、動作ユニット本体部に設けられ、移動玩具の動力供給部から供給される動力を取得する動力取得部と、動力取得部により取得された動力により動作可能な動作部とを備え、動力取得部は、開口部を介して前記動力伝達部から伝達される動力を取得可能に設けられる。
【０００８】
さらに、本発明に係る移動玩具セットは、前掲の移動玩具と、前掲の移動玩具用動作ユニットとの組み合わせから成る。加えて、本発明に係る移動玩具セットは、前掲の移動玩具と、前掲の移動玩具用動作ユニットと、前掲の移動玩具用動作ユニットを装着した前掲の移動玩具の移動が可能な遊戯盤との組み合わせから成る。
【発明の効果】
【０００９】
本発明に係る動作ユニットを装着可能な移動玩具と、移動玩具に装着可能な移動玩具用動作ユニットと、移動玩具と移動玩具用動作ユニットとの組み合わせ等から成る第１の移動玩具セットと、移動玩具と移動玩具用動作ユニットと移動玩具用動作ユニットを装着した移動玩具の移動が可能な遊戯盤との組合せから成る第２の移動玩具セットによれば、移動玩具で遊ぶ際の興趣性を向上させることができる。
【図面の簡単な説明】
【００１０】
【図１】図１（Ａ）は本発明に係る移動玩具の前面図、図１（Ｂ）は図１（Ａ）に示した移動玩具の後面図、図１（Ｃ）は図１（Ａ）に示した移動玩具の右側面図、図１（Ｄ）は図１（Ａ）に示した移動玩具の上面図、図１（Ｅ）は図１（Ａ）に示した移動玩具の下面図である。
【図２】図２は図１に示した玩具本体部内の歯車機構を示す図である。
【図３】図３は図１（Ａ）のＳ１−Ｓ１線に沿う要部拡大断面図（装着部の拡大断面図）である。
【図４】図４（Ａ）は本発明に係る動作ユニット（第１例）の前面図、図４（Ｂ）は図４（Ａ）に示した動作ユニットの後面図、図４（Ｃ）は図４（Ａ）に示した動作ユニットの右側面図、図４（Ｄ）は図４（Ａ）に示した動作ユニットの上面図、図４（Ｅ）は図４（Ａ）に示した動作ユニットの下面図である。
【図５】図５は図４に示したユニット本体部内の歯車機構を示す図である。
【図６】図６（Ａ）は図４（Ａ）のＳ２−Ｓ２線に沿う要部拡大断面図（被装着部の拡大断面図）、図６（Ｂ）は図６（Ａ）対応の要部拡大右側面図である。
【図７】図７（Ａ）は本発明に係る動作ユニット（第２例）の前面図、図７（Ｂ）は図７（Ａ）に示した動作ユニットの後面図、図７（Ｃ）は図７（Ａ）に示した動作ユニットの右側面図、図７（Ｄ）は図７（Ａ）に示した動作ユニットの上面図、図７（Ｅ）は図７（Ａ）に示した動作ユニットの下面図である。
【図８】図８は図７に示した動作ユニット本体部内の歯車機構を示す図である。
【図９】図９（Ａ）は本発明に係る動作ユニット（第３例）の前面図、図９（Ｂ）は図９（Ａ）に示した動作ユニットの後面図、図９（Ｃ）は図９（Ａ）に示した動作ユニットの右側面図、図９（Ｄ）は図９（Ａ）に示した動作ユニットの上面図、図９（Ｅ）は図９（Ａ）に示した動作ユニットの下面図である。
【図１０】図１０（Ａ）および図１０（Ｂ）は図９に示した動作ユニット本体部内の歯車機構を示す図である。
【図１１】図１１（Ａ）〜図１１（Ｃ）は図１に示した移動玩具に図４に示した動作ユニット（第１例）を装着するときの操作説明図である。
【図１２】図１２は動作ユニットを装着した移動玩具を用いて遊戯を行う際に用いられる遊戯盤を示す図である。
【発明を実施するための形態】
【００１１】
《移動玩具１０：図１〜図３》
まず、図１〜図３を用いて、本発明に係る移動玩具１０、すなわち、後述する動作ユニット２０、３０または４０を着脱可能な移動玩具１０について説明する。なお、この説明では、便宜上、図１（Ａ）の手前側を前、奥側を後、左側を左、右側を右、上側を上、下側を下と表記し、他の図についてもこれらに準じて向きを表記する。
【００１２】
移動玩具１０は、玩具本体部１１と、回転駆動源１２（モーター）と、回転駆動源１２によって駆動され、玩具本体部１１を移動可能とする前側２個の車輪１３と、回転駆動源１２によって駆動され、かつ、動作ユニット２０、３０または４０に動力を伝達する動力伝達部１４（歯車）とを備えている。回転駆動源１２は、動力供給部であり、玩具本体部１１を移動可能、且つ動力伝達部１４を介して動作ユニット２０、３０または４０を動作可能に動力を供給する。玩具本体部１１は、動作ユニット２０、３０または４０の被装着部２１ａ、３１ａまたは４１ａを装着可能な装着部１１ａをその前面に有しており、動力伝達部１４は玩具本体部１１に収容され、玩具本体部１１から突出しないように設けられている。また、玩具本体部１１には、動力伝達部１４が収容されると共に、動力伝達部１４の一部が露出する開口１１ａ４が形成されており、この開口１１ａ４を介して動作ユニット２０、３０または４０に動力が伝達される。また、動力伝達部から伝達される動力は、部材の回転に利用されているが、これに限られるものではなく、どのような動作に利用されるものであってもよい。さらに、車輪１３に動力を伝達することで車輪１３を回転させ、移動玩具１０を走行可能としているが、移動玩具１０の移動は車輪による走行に限られるものではなく、空気や水の噴射による移動も含まれる。
【００１３】
また、移動玩具１０は、回転駆動源１２によって回転駆動される駆動シャフト１５と、前側２個の車輪１３を車輪１３に接触しない状態で覆う保護部１６と、乾電池または充電池等から成る電源部１７と、電源部１７から回転駆動源１２への電力供給が可能な第１の状態と電源部１７から回転駆動源１２への電力供給が停止される第２の状態に切り替えることができるスライド式の電源切替部１８と、を備える。電源切替部１８は、玩具本体部１１の外縁部に沿ってスライド移動可能な操作部を含み、操作部のスライド移動によって、第１の状態（操作部が玩具本体部公報に位置する本実施の形態では、この状態において、操作部は玩具本体部の後方の側面端部近傍の部位に位置する）とする第１の位置から第２の状態（操作部が玩具本体部公報に位置する本実施の形態では、この状態において、操作部は玩具本体部の後方の側面端部から第１の状態よりも離間した部位に位置する）とする第２の位置とに切り換える操作が可能であり、同様に、第２の位置から第１の位置へと切り替える操作も可能である。さらに、移動玩具１０は、電源停止部１９を備え、電源停止部１９は、電源切替部１８を第２の状態から第１の状態に切り替えられることに伴い、玩具本体部１１から突出するように設けられる。また、突出した電源停止部１９は、玩具本体部１１の内部方向に移動する、すなわち、電源停止部１９の突出量が所定距離だけ減少することにより、操作部が第１の位置から第２の位置へ移動し、電源部１７から回転駆動源１２への電力供給が停止される。このとき、電源停止部は玩具本体部表面から突出せず、電源停止部の端部は、移動玩具１０の表面と略同一の平面に位置する。さらに、保護部１６は、前側の２個の車輪１３の回転を保護する役目を果たしている。
【００１４】
装着部１１ａについて補足すると、図１（Ａ）および図３に示したように、当該装着部１１ａは、動作ユニット２０、３０または４０の被装着部２１ａ、３１ａまたは４１ａを差し込みおよび引き抜きによって装着可能な直方体状の凹部１１ａ１と、動作ユニット２０、３０または４０の被装着部２１ａ、３１ａまたは４１ａを装着したときに当該被装着部２１ａ、３１ａまたは４１ａが当接可能な面状の当接部１１ａ２とを有している。当接部１１ａ２は、動作ユニット２０、３０または４０の被装着部２１ａ、３１ａまたは４１ａを装着したときに当該被装着部２１ａ、３１ａまたは４１ａに係合可能な係合部１１ａ３を有している。ちなみに、図示した係合部１１ａ３は、内側に係合突起を有する弾性片を凹部１１ａの内側の左右位置に２個ずつ設けて構成されている。さらに、装着部１１ａにおける当接部１１ａ２の略中央には、動力伝達部１４の少なくとも一部を視認可能な矩形状の開口が形成されている。言い換えると、当接部１１ａ２は、凹部１１ａの内側であって、開口１１ａ４の周囲に隣接して設けられている。そして、動力伝達部１４は、当接部１１ａ２から玩具本体部１１の内部側に後退して設けられている。すなわち、動力伝達部１４は、図３から分かるように、玩具本体部１１の前面よりも後側に位置している。
【００１５】
なお、玩具本体部１１の前面における装着部１１ａの左右両側に設けられた柱状凸部１１ｂは、玩具本体部１１の装着部１１ａに動作ユニット２０、３０または４０の被装着部２１ａ、３１ａまたは４１ａを装着するときに、後述する動作ユニット本体部２１の柱状凹部１１ｂへの挿入によって当該装着を補助するためのものである。
【００１６】
回転駆動源１２から動力伝達部１４への動力伝達について補足すると、図２に示したように、玩具本体部１１内には回転駆動源１２から駆動シャフト１５への動力伝達を行う歯車機構ＧＭ１０が設けられている。この歯車機構ＧＭ１０は、モータシャフト１２ａに固定された歯車Ｇ１１と、回転シャフトＳ１１に固定されていて歯車Ｇ１１と噛み合う歯車Ｇ１２ならびに歯車Ｇ１１と噛み合わない歯車Ｇ１３ｃと、駆動シャフト１５に固定されていて歯車Ｇ１３と噛み合う歯車Ｇ１４とから構成されており、動力伝達部１４は駆動シャフト１５の略中央に固定されている。すなわち、モータシャフト１２ａが回転すると、歯車Ｇ１１〜Ｇ１３を介して、駆動シャフト１５と動力伝達部１４が同一方向に回転するようになっている。
【００１７】
なお、駆動シャフト１５は玩具本体部１１に回転可能に支持されており、その端部それぞれには、駆動シャフト１５よりも軟質の差込補助部１５を介して、車輪１３が差し込まれて取り付けられている。ちなみに、駆動シャフト１５がステンレス等の金属から成る場合、差込補助部１５はポリプロピレン等の合成樹脂から成る。この差込補助部１５は、駆動シャフト１５への車輪１３の取り付けを強固に行う役目を果たしている。さらに、駆動シャフト１５が金属のような硬い素材からなる場合、車輪１３及び差込補助部１５が無い状態において、駆動シャフト１５の端部により遊戯者が怪我をする危険性があるため、駆動シャフト１５の各端部は、駆動シャフト１５よりも軟質の差込補助部１５で覆われていることが好ましい。また、図２には後側２個の車輪１３を描いていないが、各車輪１３も玩具本体部１１に回転可能に支持された回転シャフトの端部それぞれに、同様の差込補助部を介して、差し込まれて取り付けられている。
【００１８】
電源切替部１８および電源停止部１９について補足すると、図１（Ｂ）および図１（Ｅ）に示したように、電源切替部１８は玩具本体部１１の下面、詳しくは当該下面の後側であって、下面の高さから後方に向かって高くなる傾斜面１１ｃに設けられている。また、電源停止部１９は、電源切替部１８の操作部が第１の位置から第２の位置に変位すると、この変位に基づいて玩具本体部１１の後面から突出し（図１（Ｃ）を参照）、突出状態から玩具本体部１１の内部側に電源停止部１９が移動するとその変位に基づいて電源切替部１８の操作部を第１の位置から第２の位置に変位させるように構成されている。すなわち、電源切替部１８が第１の状態になっているときに、突出状態の電源停止部１９が玩具本体部１１の内部側へ移動すると、電源部１７から回転駆動源１２への電力供給が停止されるようになっている。本実施の形態においては、電源停止部１９は、第１の状態において玩具本体部１１の後面から突出するように設けられているものとして記載しているが、この位置に突出部が形成される態様には限定されず、後述の他の移動玩具１０との遊戯において、突出した電源停止部１９が、他の移動玩具１０によって玩具本体部１１の内部側に移動させることが可能な位置であればよい。移動玩具１０の移動（走行）を考慮すると、突出した電源停止部１９が他の移動玩具１０によって玩具本体部１１の内部側に移動させ易いという点で好ましいのは、玩具本体部１１の上面と下面を除いた側面部である。ただし、玩具本体部１１の左右には車輪１３が、玩具本体部１１の前方には動作ユニット２０が設けられることも考慮すると、本実施の形態のように、動作ユニット２０、３０または４０の着脱面と車輪１３の配置面とは異なる面に電源停止部１９を玩具本体部１１の後面から突出可能に設けることで、他の移動玩具１０によって突出した電源停止部１９が玩具本体部１１の内部側に移動させ易くなり、突出した電源停止部１９を玩具本体部１１の内部側に移動させることが後述する他の移動玩具１０への攻撃として機能し易くなることにより、遊戯時の興趣性をさらに向上させることができる。他の移動玩具１０への攻撃がし易いという点で、移動玩具１０の移動（走行）方向である玩具本体部１１の前面に動作ユニット２０を装着することが好ましいので、電源停止部１９を後面から突出可能に設けるとは、玩具本体部１１において動作ユニット２０、３０または４０の着脱面が形成された端部と対向する端部に電源停止部１９を突出可能に設けることに対応する。
【００１９】
《動作ユニット２０（第１例）：図４〜図６》
次に、図４〜図６を用いて、本発明に係る動作ユニット２０、すなわち、前記移動玩具１０に装着可能な動作ユニット２０について説明する。なお、この説明では、便宜上、図４（Ａ）の手前側を前、奥側を後、左側を左、右側を右、上側を上、下側を下と表記し、他の図についてもこれらに準じて向きを表記する。
【００２０】
動作ユニット２０は、動作ユニット本体部２１と、移動玩具１０の動力伝達部１４を介しての動力が付与される動力取得部２２（好ましくは動力伝達部１４を構成する歯車よりも厚さが小さい歯車）と、動力取得部２２に供給された動力によって動作する動作部２３とを備えている。動力取得部２２は、玩具本体部１１の開口部１１ａ４を介して動力伝達部から動力を伝達可能に設けられる。また、動力取得部２２は、その一部が玩具本体部１１の開口部１１ａ４に挿入可能に設けられる。より詳しくは、動作ユニット本体部２１は、移動玩具１０の装着部１１ａに装着可能な被装着部２１ａをその後面に有しており、動力取得部２２はその一部が被装着部２１ａから突出することにより、開口１１ａ４にその一部が挿入可能なように設けられている。また、動作ユニット２０は、被装着部２１ａを移動玩具１０の装着部１１ａに装着したときに当該移動玩具１０の玩具本体部１１の一部、詳しくは玩具本体部１１の前部を覆う被覆部２４を備えている。
【００２１】
被装着部２１ａについて補足すると、図４（Ｂ）、図４（Ｃ）、図４（Ｅ）、図６（Ａ）および図６（Ｂ）に示したように、当該被装着部２１ａは、移動玩具１０の装着部１１ａに差し込みおよび引き抜きによって装着可能な直方体状の凸部２１ａ１と、移動玩具１０の装着部１１ａに装着したときに当該装着部１１ａの当接部１１ａ２に当接可能な面状の被当接部２１ａ２とを有している。また、被装着部２１ａは、移動玩具１０の装着部１１ａに装着したときに当該装着部１１ａの係合部１１ａ３に係合可能な被係合部２１ａ３を有している。ちなみに、図示した被係合部２１ａ３は、装着部１１ａの係合部１１ａ３を構成する各弾性片の係合突起が弾性的に係合可能な被係合突起を凸部２１ａの左右面それぞれに設けて構成されている。さらに、被装着部２１ａの被当接部２１ａ２の略中央には、動力取得部２２の一部を突出可能なユニット側開口２１ａ４が形成されている。
【００２２】
なお、動作ユニット本体２１の後面における被装着部２１ａの左右両側に形成された柱状凹部２１ｂは、動作ユニット２０の被装着部２１ａを玩具本体部１１の装着部１１ａに装着するときに、玩具本体部１１の柱状凸部１１ｂの挿入によって当該装着を補助するためのものである。
【００２３】
動作部２３について補足すると、図４（Ａ）および図４（Ｃ）〜図４（Ｅ）に示したように、当該動作部２３は、略円柱状の回転部分２３ａと、回転部部分２３ａの前面に設けられた長さが異なる３本の棒状部分２３ｂとから構成されている。３本の棒状部分２３ｂは、好ましくは前から見て１２０度間隔で配置されている。ちなみに、回転部分２３ａに設けられる棒状部分２３ｂの数は必ずしも３本である必要はないが、２本以上で、かつ、長さが異なることが望ましい。
【００２４】
動力取得部２２から動作部２３への動力伝達について補足すると、図５に示したように、動作ユニット本体部２１内には動力取得部２２から動作部２３への動力伝達を行う歯車機構ＧＭ２０が設けられている。この歯車機構ＧＭ２０は、動力取得部２２が略中央に固定された回転シャフトＳ２１と、回転シャフトＳ２２に固定されていて動力取得２２と噛み合う歯車Ｇ２１及び動力取得部２２と噛み合わない歯車Ｇ２２と、回転シャフトＳ２３に固定されていて歯車Ｇ２２と噛み合う歯車Ｇ２３ならびに歯車Ｇ２２と噛み合わない歯車Ｇ２４と、回転シャフトＳ２４に固定されていて歯車Ｇ２４と噛み合う歯車Ｇ２５とから構成されており、動作部２３の回転部分２３ａは回転シャフトＳ２４の端部に取り付けられている。すなわち、被伝達部２２が回転すると、歯車Ｇ２１〜Ｇ２５を介して、動作部２３の回転部分２３ａが回転シャフトＳ２４を中心として回転するようになっている。
【００２５】
《動作ユニット３０（第２例）：図７および図８》
次に、図７および図８を用いて、本発明に係る動作ユニット３０、すなわち、前記移動玩具１０に装着可能な別の動作ユニット３０について説明する。なお、この説明では、便宜上、図７（Ａ）の手前側を前、奥側を後、左側を左、右側を右、上側を上、下側を下と表記し、他の図についてもこれらに準じて向きを表記する。
【００２６】
動作ユニット３０は、動作ユニット本体部３１と、移動玩具１０の動力伝達部１４から動力が伝達される動力取得部３２（好ましくは動力伝達部１４を構成する歯車よりも厚さが小さい歯車）と、動力取得部３２に供給された動力によって動作する動作部３３とを備えている。動作ユニット本体部３１は、移動玩具１０の装着部１１ａに装着可能な被装着部３１ａをその後面に有しており、動力取得部３２はその一部が被装着部３１ａから突出することにより、開口１１ａ４にその一部が挿入可能なように設けられている。なお、動作ユニット３０は動作ユニット２０のような被覆部２４を有していないが、必要に応じて同様の被覆部を設けることもできる。
【００２７】
被装着部３１ａについて補足すると、図７（Ｂ）〜図７（Ｅ）に示したように、当該被装着部３１ａは、動作ユニット２０の被装着２１ａと同様、移動玩具１０の装着部１１ａに差し込みおよび引き抜きによって装着可能な直方体状の凸部３１ａ１と、移動玩具１０の装着部１１ａに装着したときに当該装着部１１ａの当接部１１ａ２に当接可能な面状の被当接部３１ａ２とを有している。また、被装着部３１ａは、移動玩具１０の装着部１１ａに装着したときに当該装着部１１ａの係合部１１ａ３に係合可能な被係合部３１ａ３を有している。ちなみに、図示した被係合部３１ａ３は、装着部１１ａの係合部１１ａ３を構成する各弾性片の係合突起が弾性的に係合可能な被係合突起を凸部３１ａの左右面それぞれに設けて構成されている。さらに、被装着部３１ａの被当接部３１ａ２の略中央には、動力取得部３２の一部を突出可能なユニット側開口３１ａ４が形成されている。
【００２８】
なお、動作ユニット本体部３１の後面における被装着部３１ａの左右両側に形成された柱状凹部３１ｂは、動作ユニット３０の被装着部３１ａを玩具本体部１１の装着部１１ａに装着するときに、玩具本体部１１の柱状凸部１１ｂの挿入によって当該装着を補助するためのものである。
【００２９】
動作部３３について補足すると、図７（Ａ）および図７（Ｃ）〜図７（Ｅ）に示したように、当該動作部３３は、略円柱状の２個の回転部分３３ａと、各回転部分３３ａの前面に設けられた長さが異なる３本の棒状部分３３ｂとから構成されている。３本の棒状部分３３ｂは、好ましくは前から見て１２０度間隔で配置されている。ちなみに、各回転部分３３ａに設けられる棒状部部分３３ｂの数は必ずしも３本である必要はないが、２本以上で、かつ、長さが異なることが望ましい。
【００３０】
動力取得部３２から動作部２３への動力伝達について補足すると、図８に示したように、動作ユニット本体部３１内には動力取得部３２から動作部２３への動力伝達を行う歯車機構ＧＭ３０が設けられている。この歯車機構ＧＭ３０は、動力取得部３２が略中央に固定された回転シャフトＳ３１と、回転シャフトＳ３２に固定されていて動力取得部３２と噛み合う歯車Ｇ３１と、回転シャフトＳ３３に固定されていて歯車Ｇ３１と噛み合う歯車Ｇ３２ならびに歯車Ｇ３１と噛み合わない歯車Ｇ３３およびＧ３４と、回転シャフトＳ３４に固定されていて歯車Ｇ３３と噛み合う歯車Ｇ３５と、回転シャフトＳ３５に固定されていて歯車Ｇ３４と噛み合う歯車Ｇ３６とから構成されており、動作部３３の各回転部分３３ａは回転シャフトＳ３４およびＳ３５の端部にそれぞれ取り付けられている。すなわち、動力取得部３２が回転すると、歯車Ｇ３１〜Ｇ３６を介して、動作部３３の各回転部分３３ａが回転シャフトＳ３４およびＳ３５それぞれを中心として回転するようになっている。
【００３１】
《動作ユニット４０（第３例）：図９および図１０》
次に、図９および図１０を用いて、本発明に係る動作ユニット３０、すなわち、前記移動玩具１０に装着可能なさらに別の動作ユニット４０について説明する。なお、この説明では、便宜上、図９（Ａ）の手前側を前、奥側を後、左側を左、右側を右、上側を上、下側を下と表記し、他の図についてもこれらに準じて向きを表記する。
【００３２】
動作ユニット機器４０は、動作ユニット本体部４１と、移動玩具１０の動力伝達部１４から動力が伝達される動力取得部４２（好ましくは動力伝達部１４を構成する歯車よりも厚さが小さい歯車）と、動力取得部４２に供給された動力によって動作する動作部４３とを備えている。動作ユニット本体部４１は、移動玩具１０の装着部１１ａに装着可能な被装着部４１ａをその後面に有しており、動力取得部４２はその一部が被装着部４１ａから突出することにより、開口１１ａ４にその一部が挿入可能なように設けられている。なお、動作ユニット４０は走行玩具２０のような被覆部２４を有していないが、必要に応じて同様の被覆部を設けることもできる。
【００３３】
被装着部４１ａについて補足すると、図９（Ｂ）〜図９（Ｅ）に示したように、当該被装着部４１ａは、動作ユニット２０の被装着２１ａと同様、移動玩具１０の装着部１１ａに差し込みおよび引き抜きによって装着可能な直方体状の凸部４１ａ１と、移動玩具１０の装着部１１ａに装着したときに当該装着部１１ａの当接部１１ａ２に当接可能な面状の被当接部４１ａ２とを有している。また、被装着部４１ａは、移動玩具１０の装着部１１ａに装着したときに当該装着部１１ａの係合部１１ａ３に係合可能な被係合部４１ａ３を有している。ちなみに、図示した被係合部４１ａ３は、装着部１１ａの係合部１１ａ３を構成する各弾性片の係合突起が弾性的に係合可能な被係合突起を凸部４１ａの左右面それぞれに設けて構成されている。さらに、被装着部４１ａの被当接部４１ａ２の略中央には、動力取得部４２の一部を突出可能なユニット側開口４１ａ４が形成されている。
【００３４】
なお、動作ユニット本体部４１の後面における被装着部４１ａの左右両側に形成された柱状凹部４１ｂは、動作ユニット４０の被装着部４１ａを玩具本体部１１の装着部１１ａに装着するときに、玩具本体部１１の柱状凸部１１ｂの挿入によって当該装着を補助するためのものである。
【００３５】
動作部４３について補足すると、図９（Ａ）および図９（Ｃ）〜図９（Ｅ）に示したように、当該動作部４３は、略平板状の傾動部分４３ａと、傾動部分４３ａの後端に設けられた腕部分４３ｂとから構成されている。傾動部分４３ａの左右方向寸法は好ましくは動作ユニット本体部４１の左右方向寸法よりも大きく、腕部分４３ｂの左右方向寸法は動作ユニット本体部４１の左右方向寸法よりも小さい。
【００３６】
動力取得部４２から動作部４３への動力伝達について補足すると、図１０（Ａ）および図１０（Ｂ）に示したように、動作ユニット本体部４１内には動力取得部４２から動作部４３への動力伝達を行う歯車機構ＧＭ４０が設けられている。この歯車機構ＧＭ４０は、被伝達部４２が略中央に固定された回転シャフトＳ４１と、回転シャフトＳ４２に固定されていて被伝達部４２と噛み合う歯車Ｇ４１ならびにカムＣ４１と、回転シャフトＳ４２に固定されていてカムＣ４１と連動するカムＣ４２と、回転シャフトＳ４２を右から見て時計回り方向に付勢する捻りバネＳＰ４１とから構成されており、動作部４３の腕部分４３ｂは回転シャフトＳ４２の略中央に取り付けられている。カムＣ４１は例えば円弧状の凸部Ｃ４１ａを有し、カムＣ４２はこの凸部Ｃ４１ａによって押圧可能な平板状の凸部Ｃ４２ａを有している。すなわち、図１０（Ｂ）に示したように、動力取得部４２が右から見て反時計回り方向に回転すると、歯車Ｇ４１およびカムＣ４１が右から見て時計回り方向に回転し、このカムＣ４１の凸部Ｃ４１ａの押圧によって、捻りバネＳＰ４１の付勢力に抗してカムＣ４２の凸部Ｃ４２ａが右から見て反時計回り方向に回転する。カムＣ４２の凸部Ｃ４２ａに対するカムＣ４１の凸部Ｃ４１ａの押圧は所定角度継続するものの、所定角度を超えると当該押圧は解除されるため、押圧過程では動作部４３の傾動部分４３ａは回転シャフトＳ４２を中心として右から見て反時計回り方向に回転する一方、押圧が解除されると当該動作部４３の傾動部分４３ａは、捻りバネＳＰ４１の付勢力によって、回転シャフトＳ４２を中心として右から見て時計回り方向に急激に回転して復帰する。つまり、動作部４３の傾動部分４３ａは、回転シャフトＳ４２を中心として往復傾動するようになっている。
【００３７】
《移動玩具１０へ動作ユニット２０、３０または４０の装着》
次に、図１１を用いて、前記動作ユニット２０を前記移動玩具１０に装着するときの操作について、作用効果を交えて説明する。なお、この説明では、便宜上、図１１（Ａ）の左側を前、右側を後、奥側を左、手前側を右、上側を上、下側を下と表記し、他の図についてもこれらに準じて向きを表記する。
【００３８】
動作ユニット２０を移動玩具１０に装着するときは、図１１（Ａ）〜図１１（Ｃ）に示したように、電源切替部１８を第２の状態にした移動玩具１０の装着部１１ａに動作ユニット２０の被装着部２１ａを向き合わせ、移動玩具１０の装着部１１ａの凹部１１ａ１に動作ユニット２０の被装着部２１ａの凸部２１ａ１を差し込むとともに、移動玩具１０の各凸部１１ｂに動作ユニット２０の各凹部２１ｂを差し込む。この差し込みより、移動玩具１０の装着部１１ａの当接部１１ａ２に動作ユニット２０の被装着部２１ａの被当接部２１ａ２が当接するとともに、移動玩具１０の装着部１１ａの係合部１１ａ３に動作ユニット２０の被装着部２１ａの被係合部２１ａ３が弾性的に係合する。また、移動玩具１０の装着部１１ａの開口１１ａ４に動作ユニット２０の動力取得部２２の突出部分が入り込み、移動玩具１０の動力伝達部１４に当該動力取得部２２の突出部分が噛み合う。さらに、動作ユニット２０は被覆部２４を備えているため、この被覆部２４によって玩具本体部１１の前部及び玩具本体部１１と動作ユニット２０の接続部分が覆われる。玩具本体部１１と動作ユニット２０の接続部分が覆われることにより、玩具本体部１１と動作ユニット２０と接続部分が外観として見えにくく、玩具本体部１１と動作ユニット２０との一体感がより向上し、移動玩具１０の美観が向上する。以上で動作ユニット２０の移動玩具１０への装着が完了する。
【００３９】
装着された動作ユニット２０を移動玩具１０から取り外すとき、及び装着された動作ユニット２０を他の動作ユニット３０および４０に交換するときには、移動玩具１０の装着部１１ａの凹部１１ａ１から動作ユニット２０の被装着部２１ａの凸部２１ａ１を引き抜くとともに、移動玩具１０の各凸部１１ｂから動作ユニット２０の各凹部２１ｂを引き抜けばよい。なお、動作ユニット３０および４０も動作ユニット２０の被装着部２１ａと同一構成の被装着部３１ａおよび４２ａを有しているため、当該動作ユニット３０および４０を移動玩具１０に装着するときの操作ならびに取り外すときの操作等は前記と同じである。
【００４０】
移動玩具１０の動力伝達部１４は、玩具本体部１１に収容され、本体部に形成された開口１１ａを介して動作ユニット２０、３０または４０に動力が伝達可能となっている。また、動力伝達部１４は、開口１１ａから突出しないように設けられているため、当該動力伝達部１４の前面が当接部１１ａ２の前面よりも後側に位置することになり、動作ユニット２０、３０または４０を移動玩具１０に装着するときに万が一電源切替部１８が第１の状態になっていて動力伝達部１４が回転していても、この回転する動力伝達部１４によって指先を怪我を負う懸念はない。すなわち、移動玩具１０への動作ユニット２０、３０または４０の装着および交換を安全に行うことができる。したがって、動作ユニット２０、３０または４０を遊戯者の好み等に合わせて適宜交換することがより楽しむことができ、遊戯時の興趣性を向上させることができる。
【００４１】
本実施の形態においては、図３に示すように、動力伝達部１４は開口１１ａから突出しないように設けられているものとして記載しているが、動力伝達部１４の大部分が玩具本体部１１に収容され、動力伝達部１４の一部のみが開口１１ａ４から突き出しているような態様であっても、動作ユニット２０、３０または４０の装着および交換を安全にする効果を少なからず発揮する。
【００４２】
安全性をより向上させるためには、開口１１ａ４の大きさは、指先が入り込まない程度の大きさであることが好ましい。開口１１ａ４の形状は任意の形状とすることができるが、いずれかの方向における露出用孔１１ａ４の長さを０．８ｃｍ以下、より好ましくは、０．５ｃｍ以下とすることが好ましい。本実施の形態のように、動力伝達部１４が歯車である場合には、歯車の厚さ方向の開口１１ａ４の長さ、即ち、図１（Ｂ）における露出用孔１１ａ４の左右方向の長さを上記の値とすることが好ましい。本実施の形態においては、動力伝達部１４の形状及び配置方向に合わせて、開口１１ａ４の大きさを上記の値とすることで、移動玩具１０への動作ユニット２０、３０または４０の装着時および交換時の安全性をより向上させることができる。
【００４３】
また、動作ユニット２０、３０または４０の被装着部２１ａ、３１ａまたは４１ａを移動玩具１０に装着部１１ａに差し込むことによって当該動作ユニット２０、３０または４０を移動玩具１０に簡単に装着することができ、また、引き抜くことによって当該動作ユニット２０、３０または４０を移動玩具１０から簡単に取り外すことができる。
【００４４】
さらに、動作ユニット２０、３０および４０の動力取得部２０、３０、４０（歯車）の厚さが、移動玩具１０の動力取得部２２、３２および４２（歯車）の厚さよりも小さいため、製造上の公差によって動作ユニット２０、３０および４０の動力取得部２２、３２、４２（歯車）の左右位置がずれた場合でも、移動玩具１０の動力伝達部１４に対する動作ユニット２０、３０および４０の動力取得部２２、３２、４２の噛み合わせを的確に行うことができる。
【００４５】
《動作ユニット２０、３０または４０を装着した移動玩具１０の遊戯方法》
次に、図１２を用いて、前記動作ユニット２０、３０または４０を装着した前記移動玩具１０の遊戯方法について、作用効果を交えて説明する。
【００４６】
遊戯に際しては、図１２に示した遊戯盤５０を準備する。この遊戯盤５０には略円形の凹部から成る遊戯場５１が設けられている。例えば遊戯者が２人の場合には、各遊戯者は好みの動作ユニット２０、３０または４０を装着した移動玩具１０を準備し、電源切替部１８を第１の状態にした後に各々を遊戯場５１に置く。遊戯場５１の周囲には、移動玩具１０と同程度か、それより高い高さの壁面を設けることが好ましい。壁面を設けることにより、移動玩具１０は壁面から外側に移動しにくくなるので、壁面内で移動玩具１０を移動させることが可能となり、図１２に示されるように、動作ユニット機器２０を装着した２台の移動走行玩具１０を遊戯場５１に置いてそれぞれ移動させることで、動玩具１０同士をそれぞれの動作ユニット２０で攻撃し合うような遊び方が可能となる。図１２には、便宜上、動作ユニット２０装着した移動玩具１０を２台示してあるが、３台以上の移動玩具１０を置いて遊ぶことも可能である。また、図１２に示された遊戯盤５０には図示していないが、遊戯場５１の周囲の何れかの位置に移動玩具１０の載置面を形成することもできる。この載置面は、移動玩具１０が遊戯場５１へ侵入する際に、動作ユニット２０、３０または４０が遊戯場５１の玩具移動面に衝突することなく遊戯場５１へスムーズに侵入できるように、遊技場５１側が高く遊戯場５１から離れる方向に低くなっていることが好ましい。また、この載置面は、移動玩具１０の長さより長い所定以上の長さを設けておくことで、遊戯場５１から離れた位置から移動玩具１０を移動させることが可能となり、移動玩具１０の移動に勢いがついた状態で遊戯場５１へ侵入させることができる。壁面が設けられている場合には、この載置面が設けられる高さを壁面の高さよりも低くすることも可能である。このような態様にすることにより、移動玩具１０の壁面から外側への移動を抑制しつつ、遊戯場５１への侵入の衝撃を和らげることができる。
【００４７】
動作ユニット２０、３０または４０を装着した移動玩具１０は、電源切替部１８を第１の状態にすることにより前側２個の車輪１３が駆動され、かつ、各々の動作部２３、３３または４３が所定の動作するものであるため、遊戯場５１に置かれた２台は移動（走行）しながら各々の動作部２３、３３または４３の動作を利用して相手方に攻撃を加える。
【００４８】
この攻撃について補足すると、動作ユニット２０の動作部２３は回転部分２３ａとこれに設けられた３本の棒状部分２３ｂを有しているため、主として棒状部分２３ｂの群の回転によって相手方に攻撃を加えることができる。また、動作ユニット３０の動作部３３は２個の回転部分３３ａおよび各回転部分３３ａに設けられた３本の棒状部分３３ｂを有しているため、主として対を成す棒状部分２３ｂの群の回転によって相手方に攻撃を加えることができる。さらに、動作ユニット４０の動作部４３の動作部４３は傾動部分４３ａを有しているため、主としてこの傾動部分４３ａの傾動によって相手方に攻撃を加えることができる。
【００４９】
前記攻撃または衝突によって、２台のうちの一方が上下反転した場合や遊戯場５１の外に押し出された場合は、上下反転または押し出された側が負けとなる。また、移動玩具１０は電源切替部１８を第１の状態にしたときに玩具本体部１１から突出する電源停止部１９を備えているため（図１（Ｃ）を参照）、前記の攻撃または衝突などの接触によって突出状態の電源停止部１９が玩具本体部１１の内部側に移動し電源切替部１８が第２の状態になった場合も、電源切替部１８が第２の状態になった側が負けとなる。なお、移動玩具１０の保護部１６は、前記攻撃または衝突によって、例えば動作ユニット２０、３０または４０の動作部２３、３３または４３が相手側の前側２個の車輪１３に引っかかって遊戯が中断することを回避し、遊戯の興趣性を損なうことを抑制するための配慮である。
【００５０】
動作ユニット２０、３０または４０を装着した移動玩具１０は、遊戯中において遊戯場５１の壁面に対して垂直な方向から衝突することもあるが、動作ユニット２０および３０にあっては動作部２３および３３が有する棒状部分２３ｂおよび３３ｂの群の長さが各棒状部分で異なり、かつ、回転するため、動作ユニット２０および３０が壁面に対して垂直な方向から衝突した場合でも、この棒状部分２３ｂおよび３３ｂの群の回転によって、壁に対して垂直な状態から動作ユニット２０および３０全体の向きを変えることができる。すなわち、動作ユニット２０または３０を装着した移動玩具１０が遊戯場５１の壁面に対して垂直な方向から衝突しても、衝突状態のままで停止することを極力防止することができ、遊戯が中断することで遊戯の興趣性を損なうことを抑制すことが可能となる。また、動作ユニット４０にあっては動作部４３が有する傾動部分４３ａが傾動するため、遊戯場５１の壁面に対して垂直な方向から衝突した場合でも、この傾動部分４３ａの傾動によって、壁に対して垂直な状態から動作ユニット４０全体の向きを変えることができる。すなわち、動作ユニット４０を装着した移動玩具１０が遊戯場５１の壁面に対して垂直な方向から衝突しても、衝突状態のままで停止することを極力防止することができ、遊戯が中断することで遊戯の興趣性を損なうことを抑制すことが可能となる。また、動作ユニット３０においては、棒状部分３３ｂの群が２つ設けられており、この２つの棒状部分３３ｂの長さが等しいため、遊戯場５１の壁面に対して垂直な方向から衝突した場合、棒状部分の群が１つの場合よりも衝突状態のままで停止し易い。上述のように、棒状部分３３ｂの群の長さが各棒状部分で異なることでも衝突状態のままで停止することはある程度抑制できるが、棒状部分３３ｂの群の長さを２つの群で変える、即ち、各群において最も長い棒状部分の長さを異ならせることで、衝突状態のままでの停止をさらに抑制することが可能となる。ここでは、棒状部分の群が２つ設けられる場合として説明したが、２つの場合に限らず、棒状部分の群が３つ以上ある場合においても同様に考えることができる。
【００５１】
《移動玩具セット：図無し》
次に、遊戯者に対し好適な移動玩具セットについて説明する。
【００５２】
遊戯者に対し好適な移動玩具セットとしては、（１）前記移動玩具１０と、前記動作ユニット２０、３０および４０の少なくとも１つとの組み合わせ、（２）前記移動玩具１０と、前記動作ユニット２０、３０および４０の少なくとも１つと、前記遊戯盤５０との組み合わせを、を挙げることができる。
【００５３】
移動玩具セット（１）は前記遊戯盤５０を既に所持している遊戯者にとって有用であり、移動玩具セット（２）は初めて遊戯を行う遊戯者にとって有用である。勿論、前記移動玩具１０と、前記動作ユニット２０、３０および４０と、前記遊戯盤５０は、単品で販売することによって遊戯者のニーズに答えることも可能である。
【００５４】
《変形例：図無し》
次に、前記移動玩具１０の変形例と、前記動作ユニット２０、３０および４０の変形例について説明する。
【００５５】
〈変形例１〉移動玩具１０として前側２個の車輪１３のみが回転駆動源１２によって駆動されるものを例示したが、歯車機構ＧＭ１０を変更することにより、前側２個の車輪１３と後側２個の車輪１３の両方を回転駆動源１２によって駆動してもよい。この場合には、前側２個の車輪１３を非接触で覆う保護部１６と同様の保護部を後側２個の車輪１３に設けるとよい。
【００５６】
〈変形例２〉移動玩具１０として電源切替部１８を第１の状態にしたときに当該玩具本体部１１から突出し、かつ、電源停止部１８を玩具本体部１１の内部側に移動させたときに電源切替部１８を第２の状態にする電源停止部１９を設けたものを例示したが、この電源停止部１９は遊戯をより面白くなるようにするための配慮であるため排除することも可能である。また、電源切替部１８を移動玩具１０の下面（傾斜面１１ｃ）に設けたものを示したが、電源停止部１９を排除する場合には他の位置に設けてもよい。
【００５７】
〈変形例３〉移動玩具１０として玩具本体部１１の前面の左右両側に柱状凸部１１ｂを設け、動作ユニット２０、３０および４０の後面の左右両側にこれに差し込み可能な柱状凹部２１ｂ、３１ｂおよび４１ｂを設けたものを例示したが、移動玩具１０の装着部１１ａと動作ユニット２０、３０および４０の被装着部２１ａ、３１ａおよび４１ａとによって所期の装着が行える場合には、柱状凸部１１ｂと柱状凹部２１ｂ、３１ｂおよび４１ｂを排除してもよい。
【００５８】
〈変形例４〉動作ユニット２０、３０および４０として態様および動きが異なる動作部２３、３３および４３を有するものを例示したが、移動玩具１０の装着部１１ａに同様に装着でき、かつ、移動玩具１０の動力伝達部１４から伝達された動力を取得可能な動力取得部を有するものであれば、動作部２３、３３および４３と態様および動きが異なる動作部を有する他の動作ユニットを採用してもよい。
【００５９】
〈変形例５〉移動玩具１０の動力伝達部１４と動作ユニット２０、３０および４０の動力取得部２２、３２および４２を歯車によって構成したものを例示したが、動力伝達が可能であれば歯車以外のゴムローラー等で代用してもよい。
【符号の説明】
【００６０】
１０…移動玩具、１１…玩具本体部、１１ａ…装着部、１１ａ１…凹部、１１ａ２…当接部、１１ａ３…係合部、１１ａ４…開口、１１ｂ…柱状凸部、１１ｃ…傾斜面、１２…回転駆動源、１３…車輪、１４…動力伝達部、１５…駆動シャフト、１５ａ…差込補助部、１６…保護部、１７…電源部、１８…電源切替部、１９…電源停止部、２０…動作ユニット、２１…動作ユニット本体部、２１ａ…被装着部、２１ａ１…凸部、２１ａ２…被当接部、２１ａ３…被係合部、２１ａ４…ユニット側開口、２１ｂ…柱状凹部、２２…動力取得部、２３…動作部、２３ａ…回転部分、２３ｂ…棒状部分、２４…被覆部、３０…動作ユニット、３１…動作ユニット本体部、３１ａ…被装着部、３１ａ１…凸部、３１ａ２…被当接部、３１ａ３…被係合部、３１ａ４…ユニット側開口、３２…動力取得部、３３…動作部、３３ａ…回転部分、３３ｂ…棒状部分、４０…動作ユニット、４１…動作ユニット本体部、４１ａ…被装着部、４１ａ１…凸部、４１ａ２…被当接部、４１ａ３…被係合部、４１ａ４…ユニット側開口、４２…動力取得部、４３…動作部、４３ａ…傾動部分、４３ｂ…腕部分、５０…遊戯盤、５１…遊戯場。
【図１】
2019069312.tif 000003
【図２】
2019069312.tif 000004
【図３】
2019069312.tif 000005
【図４】
2019069312.tif 000006
【図５】
2019069312.tif 000007
【図６】
2019069312.tif 000008
【図７】
2019069312.tif 000009
【図８】
2019069312.tif 000010
【図９】
2019069312.tif 000011
【図１０】
2019069312.tif 000012
【図１１】
2019069312.tif 000013
【図１２】
2019069312.tif 000014